(57)【要約】【課題】熱交換器の洗浄機構を備えながらも大型化を抑えることができる空気調和機を提供する。【解決手段】空気調和機１ａは、室内熱交換器４と、加湿部５と、加湿用給排水路７１ａと、放水部６と、熱交換器用給水路７２ａとを備える。室内熱交換器４は、室内へ吹き出される空気と熱交換を行う。加湿部５は、空気を加湿する。加湿用給排水路７１ａは、水源に接続される給水口８３と、水を外部に排水するための排水口８４とを有し、給水口８３から加湿部５を通り排水口８４まで水を送るための水路である。放水部６は、室内熱交換器４に放水するための部分である。熱交換器用給水路７２ａは、加湿用給排水路７１ａから分岐し、放水部６まで水を送るための水路である。【選択図】図１
2008215707.tif 000002
【特許請求の範囲】
【請求項１】
室内へ吹き出される空気と熱交換を行う熱交換器（４）と、
前記空気を加湿する加湿部（５）と、
水源に接続される給水口（８３）と、水を外部に排水するための排水口（８４）とを有し、前記給水口（８３）から前記加湿部（５）を通り前記排水口（８４）まで水を送るための加湿用給排水路（７１ａ−７１ｊ）と、
前記熱交換器（４）に放水するための放水部（６）と、
前記加湿用給排水路（７１ａ−７１ｊ）から分岐し、前記放水部（６）まで水を送るための熱交換器用給水路（７２ａ−７２ｊ）と、
を備える空気調和機（１ａ−１ｊ）。
【請求項２】
前記熱交換器用給水路（７２ａ−７２ｇ）は、前記加湿用給排水路（７１ａ−７１ｇ）のうち前記加湿部（５）より上流側において分岐している、
請求項１に記載の空気調和機（１ａ−１ｇ）。
【請求項３】
前記加湿用給排水路（７１ａ）の前記給水口（８３）と前記加湿部（５）との間には、前記給水口（８３）から供給された水を蓄える貯水タンク（８１）が設けられており、
前記熱交換器用給水路（７２ａ）は、前記加湿用給排水路（７１ａ）のうち前記給水口（８３）と前記貯水タンク（８１）との間において分岐している、
請求項２に記載の空気調和機（１ａ）。
【請求項４】
前記加湿用給排水路（７１ｂ−７１ｅ）の前記給水口（８３）と前記加湿部（５）との間には、前記給水口（８３）から供給された水を蓄える貯水タンク（８１）が設けられており、
前記熱交換器用給水路（７２ｂ−７２ｅ）は、前記貯水タンク（８１）において分岐している、
請求項２に記載の空気調和機（１ｂ−１ｅ）。
【請求項５】
前記加湿用給排水路（７１ｆ，７１ｇ）の前記給水口（８３）と前記加湿部（５）との間には、前記給水口（８３）から供給された水を蓄える貯水タンク（８１）が設けられており、
前記熱交換器用給水路（７２ｆ，７２ｇ）は、前記加湿用給排水路（７１ｆ，７１ｇ）のうち前記貯水タンク（８１）と前記加湿部（５）との間において分岐している、
請求項２に記載の空気調和機（１ｆ，１ｇ）。
【請求項６】
前記加湿用給排水路（７１ｂ，７１ｅ，７１ｆ）は、前記貯水タンク（８１）と前記加湿部（５）との間で水を循環させる循環水路（７５ｂ，７５ｅ，７５ｆ）を有する、
請求項４または５に記載の空気調和機（１ｂ，１ｅ，１ｆ）。
【請求項７】
前記熱交換器用給水路（７２ｈ−７２ｊ）は、前記加湿用給排水路（７１ｈ−７１ｊ）のうち前記加湿部（５）の下流側において分岐している、
請求項１に記載の空気調和機（１ｈ−１ｊ）。
【請求項８】
前記加湿部（５）および放水部（６）に送られる水を加熱する加熱部（８２）をさらに備える、
請求項４から７のいずれかに記載の空気調和機（１ｂ−１ｊ）。
【請求項９】
前記放水部（６）は、水の流速を増大させるノズル（９１）を有する、
請求項１から８のいずれかに記載の空気調和機（１ａ−１ｊ）。
【請求項１０】
前記熱交換器（４）に放水される水に超音波振動を加える超音波振動子（９２）をさらに備える、
請求項１から９のいずれかに記載の空気調和機（１ａ−１ｊ）。
【請求項１１】
前記熱交換器（４）に放水される水に気泡を付与する気泡発生部（９３）をさらに備える、
請求項１から１０のいずれかに記載の空気調和機（１ａ−１ｊ）。
【請求項１２】
前記熱交換器（４）に放水される水を電気分解して電解水を生成する電解水生成部（９４）をさらに備える、
請求項１から１１のいずれかに記載の空気調和機（１ａ−１ｊ）。
【請求項１３】
前記加湿部（５）は透湿膜方式の加湿機能を有し、
前記熱交換器（４）に放水される水を電気分解して電解水を生成する電解水生成部（９５）をさらに備える、
請求項６または７に記載の空気調和機（１ａ−１ｊ）。
【請求項１４】
前記熱交換器（４）に放水される水にオゾンを生成させるオゾン生成部（９５）をさらに備える、
請求項１から１１のいずれかに記載の空気調和機（１ａ−１ｊ）。
【請求項１５】
前記放水部（６）を移動させる移動機構（９６）をさらに備える、
請求項１から１４のいずれかに記載の空気調和機（１ａ−１ｊ）。
【請求項１６】
前記放水部（６）には、複数の水の吹き出し口が形成されている、
請求項１から１４のいずれかに記載の空気調和機（１ａ−１ｊ）。
【請求項１７】
前記放水部（６）は前記熱交換器（４）の上方に設けられている、
請求項１から１６のいずれかに記載の空気調和機（１ａ−１ｊ）。
【発明の詳細な説明】
【技術分野】
【０００１】
本発明は、空気調和機に関する。
【背景技術】
【０００２】
空気調和機には、空気との間で熱交換を行う熱交換器が備えられており、熱交換器において温度調整された空気が室内へ吹き出される。
【特許文献１】特開２００５−１０６４２２号公報
【発明の開示】
【発明が解決しようとする課題】
【０００３】
上記のような熱交換器は、室外や室内から取り込まれた空気が通過するものであるため、塵埃等の汚れが付着しやすい。このため、熱交換器を洗浄する洗浄機構を設けることが望ましいが、空気調和機に洗浄機構を設ける場合、ポンプ、タンク、弁などの水を搬送するための部品がさらに必要となり、空気調和機が大型化する恐れがある。
【０００４】
本発明の課題は、熱交換器の洗浄機構を備えながらも大型化を抑えることができる空気調和機を提供することにある。
【課題を解決するための手段】
【０００５】
第１発明に係る空気調和機は、熱交換器と、加湿部と、加湿用給排水路と、放水部と、熱交換器用給水路とを備える。熱交換器は、室内へ吹き出される空気と熱交換を行う。加湿部は、空気を加湿する。加湿用給排水路は、水源に接続される給水口と、水を外部に排水するための排水口とを有し、給水口から加湿部を通り排水口まで水を送るための水路である。放水部は、熱交換器に放水するための部分である。熱交換器用給水路は、加湿用給排水路から分岐し、放水部まで水を送るための水路である。
【０００６】
この空気調和機では、熱交換器用給水路が加湿用給排水路から分岐しているため、加湿用給排水路を通る水の少なくとも一部を熱交換器用給水路を介して放水部に送り、放水部から熱交換器に放水することができる。このため、加湿用の水や給排水用の設備を用いて、熱交換器を洗浄することができる。これにより、この空気調和機では、熱交換器の洗浄機構を備えながらも大型化を抑えることができる。
【０００７】
第２発明に係る空気調和機は、第１発明の空気調和機であって、熱交換器用給水路は、加湿用給排水路のうち加湿部より上流側において分岐している。
【０００８】
この空気調和機では、熱交換用給水路が加湿用給排水路のうち加湿部より上流側において分岐しているため、放水部へ向かう水の流れが、加湿部よりも上流側において加湿用給排水路から分流する。このため、放水部において放水される水を容易に確保することができる。
【０００９】
第３発明に係る空気調和機は、第２発明の空気調和機であって、加湿用給排水路の給水口と加湿部との間には、給水口から供給された水を蓄える貯水タンクが設けられている。そして、熱交換器用給水路は、加湿用給排水路のうち給水口と貯水タンクとの間において分岐している。
【００１０】
この空気調和機では、熱交換器用給水路は、加湿用給排水路のうち給水口と貯水タンクとの間において分岐している。このため、水源から送られる水の水圧を利用して、放水部へ水を搬送することができる。これにより、簡易な構成で放水部へ水を搬送することができる。
【００１１】
第４発明に係る空気調和機は、第２発明の空気調和機であって、加湿用給排水路の給水口と加湿部との間には、給水口から供給された水を蓄える貯水タンクが設けられている。そして、熱交換器用給水路は、貯水タンクにおいて分岐している。
【００１２】
この空気調和機では、熱交換器用給水路が貯水タンクにおいて分岐しているため、貯水タンクに貯えられた水の一部を放水部へ送ることができる。このため、放水部へ送られる水に高い洗浄能力を容易に付与することができる。
【００１３】
第５発明に係る空気調和機は、第２発明の空気調和機であって、加湿用給排水路の給水口と加湿部との間には、給水口から供給された水を蓄える貯水タンクが設けられている。そして、熱交換器用給水路は、加湿用給排水路のうち貯水タンクと加湿部との間において分岐している。
【００１４】
この空気調和機では、熱交換器用給水路が加湿用給排水路のうち貯水タンクと加湿部との間において分岐しているため、貯水タンクに貯えられた水の一部を放水部へ送ることができる。このため、貯水タンクに洗浄力のある水を蓄えることによって、洗浄能力を容易に向上させることができる。
【００１５】
第６発明に係る空気調和機は、第４発明または第５発明の空気調和機であって、加湿用給排水路は、貯水タンクと加湿部との間で水を循環させる循環水路を有する。
【００１６】
この空気調和機では、循環水路を介して貯水タンクと加湿部との間で水が循環する。このため、加湿部において加湿に用いられずに残った水は、貯水タンクに戻された後、再び加湿部に送られるか、又は、放水部に送られる。これにより、この空気調和機では、水を無駄なく使用することができる。
【００１７】
第７発明に係る空気調和機は、第１発明の空気調和機であって、熱交換器用給水路は、加湿用給排水路のうち加湿部の下流側において分岐している。
【００１８】
この空気調和機では、熱交換器用給水路が加湿用給排水路のうち加湿部の下流側において分岐しているため、加湿部において加湿に用いられずに残った水を放水部に送ることができる。これにより、この空気調和機では、水を無駄なく使用することができる。
【００１９】
第８発明に係る空気調和機は、第４発明から第７発明のいずれかの空気調和機であって、加湿部および放水部に送られる水を加熱する加熱部をさらに備える。
【００２０】
この空気調和機では、加熱部によって加熱された水が加湿部において空気の加湿に用いられる。また、加熱部によって加熱された水は放水部にも送られ熱交換器の洗浄に用いられる。この放水部に送られる水は加熱部によって加熱されたものであるため、熱交換器の汚れをよく落とすことができる。これにより、この空気調和機では、洗浄能力を向上させることができる。
【００２１】
第９発明に係る空気調和機は、第１発明から第８発明のいずれかの空気調和機であって、放水部は、水の流速を増大させるノズルを有する。
【００２２】
この空気調和機では、放水部はノズルによって水の流速を増大させて熱交換器に吹き付けることができる。これにより、この空気調和機では、洗浄能力を向上させることができる。
【００２３】
第１０発明に係る空気調和機は、第１発明から第９発明のいずれかの空気調和機であって、熱交換器に放水される水に超音波振動を加える超音波振動子をさらに備える。
【００２４】
この空気調和機では、超音波振動子によって超音波振動を付与された水を熱交換器に放水することができる。これにより、この空気調和機では、洗浄能力を向上させることができる。
【００２５】
第１１発明に係る空気調和機は、第１発明から第１０発明のいずれかの空気調和機であって、熱交換器に放水される水に気泡を付与する気泡発生部をさらに備える。
【００２６】
この空気調和機では、気泡発生部によって気泡を付与された水を熱交換器に放水することができる。これにより、この空気調和機では、洗浄能力を向上させることができる。
【００２７】
第１２発明に係る空気調和機は、第１発明から第１１発明のいずれかの空気調和機であって、熱交換器に放水される水を電気分解して電解水を生成する電解水生成部をさらに備える。
【００２８】
この空気調和機では、電解水生成部によって生成された電解水を熱交換器に放水することができる。これにより、この空気調和機では、洗浄能力を向上させることができる。
【００２９】
第１３発明に係る空気調和機は、第６発明または第７発明の空気調和機であって、加湿部は透湿膜方式の加湿機能を有する。そして、この空気調和機は、熱交換器に放水される水を電気分解して電解水を生成する電解水生成部をさらに備える。
【００３０】
この空気調和機では、加湿部において加湿に用いられず残った水が放水部に送られ電解水にされて熱交換器に放水される。ここで、加湿部は、透湿膜方式の加湿機能を有するため、加湿部においては水のみが透湿膜を通過して加湿に用いられ、残った水のイオン成分濃度が高くなっている。このようなイオン成分濃度が高くなった水が電気分解されることによって、より洗浄力の高い電解水を生成することができる。これにより、この空気調和機では、洗浄能力をより向上させることができる。
【００３１】
第１４発明に係る空気調和機は、第１発明から第１１発明のいずれかの空気調和機であって、熱交換器に放水される水にオゾンを生成させるオゾン生成部をさらに備える。
【００３２】
この空気調和機では、オゾンを含んだ水を熱交換器に放水することができる。これにより、この空気調和機では、洗浄能力を向上させることができる。
【００３３】
第１５発明に係る空気調和機は、第１発明から第１４発明のいずれかの空気調和機であって、放水部を移動させる移動機構をさらに備える。
【００３４】
この空気調和機では、移動機構によって放水部が移動することによって、熱交換器の広い範囲を洗浄することができる。
【００３５】
第１６発明に係る空気調和機は、第１発明から第１４発明のいずれかの空気調和機であって、放水部には、複数の水の吹き出し口が形成されている。
【００３６】
この空気調和機では、複数の水の吹き出し口から水が吹き出されて熱交換器に放水される。これにより、熱交換器の広い範囲を洗浄することができる。
【００３７】
第１７発明に係る空気調和機は、第１発明から第１６発明のいずれかの空気調和機であって、放水部は熱交換器の上方に設けられている。
【００３８】
この空気調和機では、放水部が熱交換器の上方に設けられているため、熱交換器に放水された水は熱交換器に沿って下方に流れながら熱交換器を洗浄することができる。このため、簡易な構成で熱交換器の広い範囲を洗浄することができる。
【発明の効果】
【００３９】
第１発明に係る空気調和機では、熱交換器用給水路が加湿用給排水路から分岐しているため、加湿用給排水路を通る水の少なくとも一部を熱交換器用給水路を介して放水部に送り、放水部から熱交換器に放水することができる。このため、加湿用の水や給排水用の設備を用いて、熱交換器を洗浄することができる。これにより、この空気調和機では、熱交換器の洗浄機構を備えながらも大型化を抑えることができる。
【００４０】
第２発明に係る空気調和機では、熱交換用給水路が加湿用給排水路のうち加湿部より上流側において分岐しているため、放水部へ向かう水の流れが、加湿部よりも上流側において加湿用給排水路から分流する。このため、放水部において放水される水を容易に確保することができる。
【００４１】
第３発明に係る空気調和機では、熱交換器用給水路は、加湿用給排水路のうち給水口と貯水タンクとの間において分岐している。このため、水源から送られる水の水圧を利用して、放水部へ水を搬送することができる。これにより、簡易な構成で放水部へ水を搬送することができる。
【００４２】
第４発明に係る空気調和機では、熱交換器用給水路が貯水タンクにおいて分岐しているため、貯水タンクに貯えられた水の一部を放水部へ送ることができる。このため、放水部へ送られる水に高い洗浄能力を容易に付与することができる。
【００４３】
第５発明に係る空気調和機では、熱交換器用給水路が加湿用給排水路のうち貯水タンクと加湿部との間において分岐しているため、貯水タンクに貯えられた水の一部を放水部へ送ることができる。このため、貯水タンクに洗浄力のある水を蓄えることによって、洗浄能力を容易に向上させることができる。
【００４４】
第６発明に係る空気調和機では、循環水路を介して貯水タンクと加湿部との間で水が循環する。このため、加湿部において加湿に用いられずに残った水は、貯水タンクに戻された後、再び加湿部に送られるか、又は、放水部に送られる。これにより、この空気調和機では、水を無駄なく使用することができる。
【００４５】
第７発明に係る空気調和機では、熱交換器用給水路が加湿用給排水路のうち加湿部の下流側において分岐しているため、加湿部において加湿に用いられずに残った水を放水部に送ることができる。これにより、この空気調和機では、水を無駄なく使用することができる。
【００４６】
第８発明に係る空気調和機では、加熱部によって加熱された水が加湿部において空気の加湿に用いられる。また、加熱部によって加熱された水は放水部にも送られ熱交換器の洗浄に用いられる。この放水部に送られる水は加熱部によって加熱されたものであるため、熱交換器の汚れをよく落とすことができる。これにより、この空気調和機では、洗浄能力を向上させることができる。
【００４７】
第９発明に係る空気調和機では、放水部はノズルによって水の流速を増大させて熱交換器に吹き付けることができる。これにより、この空気調和機では、洗浄能力を向上させることができる。
【００４８】
第１０発明に係る空気調和機では、超音波振動子によって超音波振動を付与された水を熱交換器に放水することができる。これにより、この空気調和機では、洗浄能力を向上させることができる。
【００４９】
第１１発明に係る空気調和機では、気泡発生部によって気泡を付与された水を熱交換器に放水することができる。これにより、この空気調和機では、洗浄能力を向上させることができる。
【００５０】
第１２発明に係る空気調和機では、電解水生成部によって生成された電解水を熱交換器に放水することができる。これにより、この空気調和機では、洗浄能力を向上させることができる。
【００５１】
第１３発明に係る空気調和機では、加湿部において加湿に用いられず残った水が放水部に送られ電解水にされて熱交換器に放水される。ここで、加湿部は、透湿膜方式の加湿機能を有するため、加湿部においては水のみが透湿膜を通過して加湿に用いられ、残った水のイオン成分濃度が高くなっている。このようなイオン成分濃度が高くなった水が電気分解されることによって、より洗浄力の高い電解水を生成することができる。これにより、この空気調和機では、洗浄能力をより向上させることができる。
【００５２】
第１４発明に係る空気調和機では、オゾンを含んだ水を熱交換器に放水することができる。これにより、この空気調和機では、洗浄能力を向上させることができる。
【００５３】
第１５発明に係る空気調和機では、移動機構によって放水部が移動することによって、熱交換器の広い範囲を洗浄することができる。
【００５４】
第１６発明に係る空気調和機では、複数の水の吹き出し口から水が吹き出されて熱交換器に放水される。これにより、熱交換器の広い範囲を洗浄することができる。
【００５５】
第１７発明に係る空気調和機では、放水部が熱交換器の上方に設けられているため、熱交換器に放水された水は熱交換器に沿って下方に流れながら熱交換器を洗浄することができる。このため、簡易な構成で熱交換器の広い範囲を洗浄することができる。
【発明を実施するための最良の形態】
【００５６】
＜第１実施形態＞
〔構成〕
本発明の第１実施形態に係る空気調和機１ａを図１に示す。この空気調和機１ａは、天井面に取り付けられる天井埋込型の室内機であり、室外に設置される室外機（図示せず）と接続される。空気調和機１ａは、ケーシング２と、室内送風部３と、室内熱交換器４と、加湿部５と、放水部６と、給排水設備７ａとを備えている。
【００５７】
ケーシング２は、室内送風部３、室内熱交換器４、加湿部５などの構成部品を内部に収納しており、ケーシング本体２１、正面パネル２２、熱交換器用ドレンパン２３などを有する。ケーシング本体２１は、下面が開口した箱状の部材であり、室内熱交換器４、室内送風部３、加湿部５を収納している。正面パネル２２は、ケーシング本体２１の開口を閉じるようにケーシング本体２１に取り付けられ、室内に面して配置される。また、正面パネル２２の中央部には吸込み口２４が設けられ、その周囲には吹出し口２５が設けられている。熱交換器用ドレンパン２３は、室内熱交換器４の下方に設けられており、室内熱交換器４から滴下するドレン水を受ける。
【００５８】
室内送風部３は、正面パネル２２の上方に配置されており、吸込み口２４から吸い込まれ、室内熱交換器４を通り、吹出し口２５から室内へ吹き出される空気の流れを生成する。室内送風部３は、送風ファン３１と、ファンモータ３２とを有する。送風ファン３１は、ファンモータ３２によって回転駆動され、軸方向から空気を吸い込み遠心方向に空気を吹き出す遠心ファンである。
【００５９】
室内熱交換器４は、フィンチューブ式の熱交換器であり、室内へ吹き出される空気と熱交換を行う。室内熱交換器４は、室内送風部３の側方を囲むように設けられている。室内熱交換器４は、垂直断面において鉛直方向に長い長方形の断面形状を有している。また、室内熱交換器４が有する複数のフィンは、鉛直方向に概ね平行に配置されている。
【００６０】
加湿部５は、後述する給排水設備７ａから供給される水を用いて、室内へ吹き出される空気を加湿する。加湿部５は、気化方式の加湿機能を有しており、加湿部５に送られた水は加湿部５において水蒸気となり空気と共に室内へ吹き出される。気化方式には、透湿膜式、滴下式、毛管式などの方式があるが、ここでは、透湿膜式の加湿部５が用いられている。透湿膜式とは、液体としての水は通さないが水蒸気を通す超撥水性多孔質膜で水を覆い、その周囲に空気を流すことにより加湿を行う方式である。超撥水性多孔質膜としては、例えば、ポリエチレン、ポリプロピレン、ポリカーボネート、ポリエステル、フッ素樹脂などの疎水性高分子材料からなる多孔質膜が挙げられる。なお、加湿部５の下方には、加湿部用ドレンパン２６が設けられており、万一、加湿部５において水漏れが生じた場合には、加湿部５から漏れた水滴を受ける。
【００６１】
放水部６は、後述する熱交換器用給水路７２ａから供給される水を用いて室内熱交換器４に放水することによって、室内熱交換器４を洗浄することができる。放水部６は、室内熱交換器４の上方に配置されている。このため、放水部６から放出された水は、室内熱交換器４に沿って下方に流れ、室内熱交換器４を上下方向の広範囲に亘って洗浄することができる。
【００６２】
給排水設備７ａは、水源から供給される水を加湿部５および放水部６に搬送すると共に、不要な水を外部に排出するための設備であり、加湿用給排水路７１ａと、熱交換器用給水路７２ａと、貯水タンク８１と、循環ポンプＰ１と、各種の水路開閉弁Ｖ１−Ｖ３とを有している。なお、水源としては、水道管が用いられる。
【００６３】
加湿用給排水路７１ａは、水源に接続される給水口８３と、水を外部に排水するための排水口８４とを有し、給水口８３から加湿部５を通り排水口８４まで水を送るための水路である。加湿用給排水路７１ａは、タンク給水路７３ａと、加湿部給水路７４ａと、循環水路７５ａと、排水路７６ａとを有する。タンク給水路７３ａは、給水口８３から貯水タンク８１へ水を送るための水路である。加湿部給水路７４ａは、貯水タンク８１から加湿部５へ水を送るための水路であり、その一端は貯水タンク８１に接続され、他端は加湿部５の上部に接続されている。循環水路７５ａは、加湿部５において加湿に用いられずに残った水を貯水タンク８１に戻すための水路であり、その一端は加湿部５の下部に接続されており、他端は貯水タンク８１に接続されている。排水路７６ａは、加湿部給水路７４ａに接続されており、加湿部給水路７４ａを流れる水を排水口８４に送って外部に排出するための水路である。
【００６４】
熱交換器用給水路７２ａは、加湿用給排水路７１ａから分岐し、放水部６まで水を送るための水路である。熱交換器用給水路７２ａの一端は、タンク給水路７３ａに接続されている。すなわち、熱交換器用給水路７２ａは、加湿用給排水路７１ａのうち加湿部５および貯水タンク８１よりも上流側において分岐している。熱交換器用給水路７２ａの他端は、放水部６に接続されている。
【００６５】
貯水タンク８１は、給水口８３から供給される水および循環水路７５ａを通って加湿部５から回収される水を蓄える。貯水タンク８１は、加湿用給排水路７１ａのうち給水口８３と加湿部５との間の部分に設けられている。
【００６６】
循環ポンプＰ１は、貯水タンク８１から加湿部給水路７４ａを通って加湿部５へ向かう水の流れを生成する。循環ポンプＰ１は、加湿部給水路７４ａのうち、排水路７６ａと加湿部給水路７４ａとの接続部分よりも下流側に設けられている。
【００６７】
水路開閉弁Ｖ１−Ｖ３は、図示しない制御部からの制御信号によって電気的に制御される電磁弁であり、水路を開閉することができる。水路開閉弁Ｖ１−Ｖ３には、タンク給水路開閉弁Ｖ１と、熱交換器用給水路開閉弁Ｖ２と、排水路開閉弁Ｖ３とがある。タンク給水路開閉弁Ｖ１は、タンク給水路７３ａのうち、熱交換器用給水路７２ａとの接続部分よりも下流側に設けられており、貯水タンク８１への水の供給を制御することができる。熱交換器用給水路開閉弁Ｖ２は、熱交換器用給水路７２ａに設けられており、放水部６への水の供給を制御することができる。排水路開閉弁Ｖ３は、排水路７６ａに設けられており、排水口８４からの水の排出を制御することができる。
【００６８】
〔給排水設備７ａによる加湿部５および放水部６への給水〕
まず、加湿部５への給水について説明する。この場合、タンク給水路開閉弁Ｖ１は開状態とされ、排水路開閉弁Ｖ３は閉状態とされる。これにより、水道管からタンク給水路７３ａを通って貯水タンク８１まで水が搬送され蓄えられる。また、循環ポンプＰ１が駆動されることにより、貯水タンク８１から加湿部給水路７４ａを通って加湿部５に水が搬送される。そして、加湿部５において水が気化することにより空気が加湿される。加湿部５において気化せずに残った水は、循環水路７５ａを通って貯水タンク８１に戻される。なお、貯水タンク８１の内部、例えば、貯水タンク８１の内面の上下２個所に、フロートスイッチなどの水位検知手段が設けられ、上限位置まで水位が上昇するとタンク給水路開閉弁Ｖ１が閉じられ、下限位置まで水位が下がるとタンク給水路開閉弁Ｖ１が開かれるように、タンク給水路開閉弁Ｖ１が制御されるとよい。これにより、加湿に必要な水量を確保することができる。
【００６９】
次に、放水部６への給水について説明する。この場合、熱交換器用給水路開閉弁Ｖ２は、開状態とされる。これにより、水道管からタンク給水路７３ａおよび熱交換器用給水路７２ａを通って放水部６に水が搬送され、放水部６から室内熱交換器４に向けて放水される。これにより、室内熱交換器４が洗浄される。室内熱交換器４から滴下した水は、熱交換器用ドレンパン２３に受けられ、熱交換器用ドレンパン２３に接続された排水管（図示せず）を通って外部に排出される。
【００７０】
なお、加湿部５への給水と放水部６への給水とが同時に行われてもよく、いずれか一方のみが行われてもよい。加湿部５への給水と放水部６への給水との両方が行われる場合は、熱交換器用給水路開閉弁Ｖ２が開状態とされると共に循環ポンプＰ１が駆動される。加湿部５への給水のみが行われ放水部６への給水が行われない場合は、熱交換器用給水路開閉弁Ｖ２が閉状態とされる。放水部６への給水のみが行われ加湿部５への給水が行われないときは、熱交換器用給水路開閉弁Ｖ２が開状態とされ、循環ポンプＰ１が停止される。
【００７１】
また、給排水設備７ａが長期間休止した後に使用を再開する場合には、循環ポンプＰ１が停止した状態で、タンク給水路開閉弁Ｖ１および排水路開閉弁Ｖ３を開状態とすることにより、水路に溜まった水を加湿部をバイパスして排水ことができる。
【００７２】
また、貯水タンク８１に十分な量の水が貯留され貯水タンク８１内の水圧が水源からの給水圧と同程度まで高くなった状態で熱交換器用給水路開閉弁Ｖ２が開かれることにより、貯水タンク８１内の水を放水部６へ送り室内熱交換器４に向けて放水することも可能である。
【００７３】
〔特徴〕
この空気調和機１ａでは、熱交換器用給水路７２ａが加湿用給排水路７１ａから分岐しているため、加湿用給排水路７１ａを通る水の少なくとも一部を熱交換器用給水路７２ａを介して放水部６に送り、放水部６から室内熱交換器４に放水することができる。このため、加湿用の水や設備を利用することにより、簡易な構成を追加するだけで、室内熱交換器４の洗浄が可能となっている。これにより、この空気調和機１ａでは、室内熱交換器４の洗浄機構を備えながらも、外形の大型化およびコストの増大が抑えられている。
【００７４】
また、この空気調和機１ａでは、熱交換器用給水路７２ａが、加湿用給排水路７１ａのうち貯水タンク８１よりも上流側で分岐している。このため、貯水タンク８１に貯えられる水の量に関わらず、放水部６に供給する水を容易に確保することができる。また、水道管の水圧を利用して放水部６まで水を搬送することができるため、熱交換器用給水路７２ａにポンプを設ける必要がない。さらに、ポンプを設けずに貯水タンク８１から熱交換器用給水路７２ａに水を供給する場合、水圧を確保する観点から貯水タンク８１を放水部６よりも上方に配置することが望ましいが、この空気調和機１ａでは、水道管の水圧を利用することができるため、貯水タンク８１の配置の自由度が向上している。
【００７５】
＜第２実施形態＞
〔構成〕
本発明の第２実施形態に係る空気調和機１ｂを図２に示す。この空気調和機１ｂは、給排水設備７ｂと加熱部８２とを備える。
【００７６】
給排水設備７ｂは、加湿用給排水路７１ｂと、熱交換器用給水路７２ｂと、貯水タンク８１と、循環ポンプＰ１と、水路開閉弁Ｖ１−Ｖ３とを有している。
【００７７】
加湿用給排水路７１ｂは、水源に接続される給水口８３と、水を外部に排水するための排水口８４とを有し、給水口８３から加湿部５を通り排水口８４まで水を送るための水路である。加湿用給排水路７１ｂは、タンク給水路７３ｂと、加湿部給水路７４ｂと、循環水路７５ｂと、排水路７６ｂとを有する。タンク給水路７３ｂは、給水口８３から貯水タンク８１へ水を送るための水路である。加湿部給水路７４ｂは、貯水タンク８１から加湿部５へ水を送るための水路であり、その一端は貯水タンク８１に接続され、他端は加湿部５の上部に接続されている。循環水路７５ｂは、加湿部５において加湿に用いられずに残った水を貯水タンク８１に戻すための水路であり、一端が加湿部５の下部に接続されており、他端が貯水タンク８１に接続されている。排水路７６ｂは、貯水タンク８１の底部に接続されており、貯水タンク８１に貯えられた水を排水口８４に送って外部に排出するための水路である。
【００７８】
熱交換器用給水路７２ｂは、加湿用給排水路７１ｂから分岐し、放水部６まで水を送るための水路である。より詳細には、熱交換器用給水路７２ｂの一端は、貯水タンク８１に接続されており、他端は、放水部６に接続されている。このため、熱交換器用給水路７２ｂは、貯水タンク８１において加湿用給排水路７１ｂから分岐している。
【００７９】
加熱部８２は、加湿部５へ送られる水を加熱するものであり、加湿用給排水路７１ｂのうち加湿部５よりも上流側に設けられている。より詳細には、加熱部８２は、貯水タンク８１に設けられており、貯水タンク８１に貯えられている水を加熱する。これにより、暖まった水が加湿部５に送られ、加湿部５における水の気化を促進することができる。
【００８０】
他の構成については、第１実施形態に係る空気調和機１ａと同様である。
【００８１】
〔特徴〕
（１）
この空気調和機１ｂでは、第１実施形態に係る空気調和機１ａと概ね同様にして、給排水設備７ｂによる加湿部５および放水部６への給水が行われ、第１実施形態に係る空気調和機１ａと同様の効果を奏することができる。ただし、この空気調和機１ｂでは、貯水タンク８１に貯えられた水が、熱交換器用給水路７２ｂを通って放水部６へ送られる。貯水タンク８１に貯えられた水は、加熱部８２によって加熱されるため、室内熱交換器４の汚れをよく落とすことができる。このため、この空気調和機１ｂでは、室内熱交換器４の洗浄能力が向上している。
【００８２】
なお、この空気調和機１ｂのように、循環水路７５ｂによって加湿部５を通った水が貯水タンク８１に戻される場合、加熱部８２は、加湿用給排水路７１ｂにおいて貯水タンク８１よりも下流側に配置されてもよい。例えば、加湿部給水路７４ｂに加熱部８２が設けられた場合、加熱部８２によって加熱された水が加湿部５に送られ、加湿部５において気化しなかった水は、貯水タンク８１に戻る。このため、加熱された水を熱交換器用給水路７２ｂを通って放水部６へ送ることができ、上記と同様に室内熱交換器４の洗浄能力を向上させることができる。
【００８３】
（２）
この空気調和機１ｂでは、熱交換器用給水路７２ｂが貯水タンク８１に接続されるため、貯水タンク８１に貯えられた水の水圧を利用して放水部６に水を送ることができる。このため、貯水タンク８１から放水部６に水を送るためのポンプが不要である。これにより、この空気調和機１ｂでは、室内熱交換器４の洗浄機構を備えながらも、外形の大型化およびコストの増大を抑えることができる。
【００８４】
（３）
この空気調和機１ｂでは、加湿部５を通った水は、循環水路７５ｂを通って貯水タンク８１に戻され、再び加湿部５に送られるか、または、放水部６に送られる。このため、この空気調和機１ｂでは、加湿用の水とは別に室内熱交換器４の洗浄用の水が用いられる場合と比べて、使用される水の量を低減することができる。また、加熱部８２によって加熱された水の再利用が可能であるため、加熱部８２の熱損失を低減することができる。
【００８５】
なお、この空気調和機１ｂの変形例として、以下の形態の空気調和機が利用可能である。
【００８６】
〔変形例１〕
図３に示す空気調和機１ｃでは、給排水設備７ｃの加湿用給排水路７１ｃに循環水路が設けられていない。また、加湿部給水路７４ｃの一端が貯水タンク８１の底部に接続され、他端が加湿部５の下部に接続されている。排水路７６ｃは、加湿部給水路７４ｃの中間部分に接続されている。循環ポンプＰ１は設けられておらず、貯水タンク８１に貯えられた水の水圧により加湿部５に水が供給される。
【００８７】
熱交換器用給水路７２ｃ、タンク給水路７３ｃは、上記の空気調和機１ｂの熱交換器用給水路７２ｂ、タンク給水路７３ｂと同様である。また、他の構成についても、上記の空気調和機１ｂと同様である。
【００８８】
〔変形例２〕
図４に示す空気調和機１ｄでは、給排水設備７ｄの加湿用給排水路７１ｄに循環水路が設けられておらず、加湿部給水路７４ｄの一端が貯水タンク８１の底部に接続され、他端が加湿部５の上部に接続されている。排水路７６ｄは、加湿部５の下部に接続されている。また、循環ポンプＰ１および排水路開閉弁Ｖ３は設けられておらず、貯水タンク８１に貯えられた水の水圧により加湿部５および排水口８４まで水が搬送される。
【００８９】
熱交換器用給水路７２ｄ、タンク給水路７３ｄは、上記の空気調和機１ｂの熱交換器用給水路７２ｂ、タンク給水路７３ｂと同様である。また、他の構成についても、上記の空気調和機１ｂと同様である。
【００９０】
〔変形例３〕
図５に示す空気調和機１ｅでは、給排水設備７ｅに上部貯水タンク８１１と下部貯水タンク８１２とが設けられている。加湿用給排水路７１ｅでは、加湿部給水路７４ｅの一端が上部貯水タンク８１１の底部に接続されており、他端は加湿部５の上部に接続されている。下部貯水タンク８１２は、加湿部５の下部から流れてくる水を受けるように配置されており、ドレンパンの機能を兼ねている。なお、この加湿部５は滴下式の加湿機能を有するものである。また、下部貯水タンク８１２の上部にはタンク給水路７３ｅが接続されており、下部貯水タンク８１２の底部には排水路７６ｅが接続されている。さらに、上部貯水タンク８１１と下部貯水タンク８１２とを繋ぐ循環水路７５ｅが設けられており、循環水路７５ｅには、下部貯水タンク８１２から上部貯水タンク８１１へと水を送る循環ポンプＰ１が設けられている。熱交換器用給水路７２ｅの一端は上部貯水タンク８１１に接続されており、他端は放水部６に接続されている。また、タンク給水路７３ｅは、下部貯水タンク８１２に接続されている。
【００９１】
なお、加熱部８２は、上部貯水タンク８１１に設けられているが、下部貯水タンク８１２に設けられてもよい。
【００９２】
他の構成については、上記の空気調和機１ｂと同様である。
【００９３】
＜第３実施形態＞
本発明の第３実施形態に係る空気調和機１ｆを図６に示す。この空気調和機１ｆが備える給排水設備７ｆは、加湿用給排水路７１ｆと、熱交換器用給水路７２ｆと、貯水タンク８１と、循環ポンプＰ１と、水路開閉弁Ｖ１−Ｖ４とを有している。
【００９４】
加湿用給排水路７１ｆは、水源に接続される給水口８３と、水を外部に排水するための排水口８４とを有し、給水口８３から加湿部５を通り排水口８４まで水を送るための水路である。加湿用給排水路７１ｆは、タンク給水路７３ｆと、加湿部給水路７４ｆと、循環水路７５ｆと、排水路７６ｆとを有する。タンク給水路７３ｆは、給水口８３から貯水タンク８１へ水を送るための水路である。加湿部給水路７４ｆは、貯水タンク８１から加湿部５へ水を送るための水路であり、その一端は貯水タンク８１に接続され、他端は加湿部５の上部に接続されている。循環水路７５ｆは、加湿部５において加湿に用いられずに残った水を貯水タンク８１に戻すための水路であり、一端が加湿部５の下部に接続されており、他端が貯水タンク８１に接続されている。排水路７６ｆは、加湿部給水路７４ｆに接続されており、加湿部給水路７４ｆを流れる水を排水口８４に送って外部に排出するための水路である。
【００９５】
熱交換器用給水路７２ｆは、加湿用給排水路７１ｆから分岐し、放水部６まで水を送るための水路である。熱交換器用給水路７２ｆの一端は、加湿部給水路７４ｆに接続されており、熱交換器用給水路７２ｆは、加湿用給排水路７１ｆのうち貯水タンク８１と加湿部５との間において分岐している。より具体的には、熱交換器用給水路７２ｆの一端は、加湿部給水路７４ｆのうち循環ポンプＰ１の下流側であり且つ加湿部給水路開閉弁Ｖ４の上流側に接続されている。熱交換器用給水路７２ｆの他端は、放水部６に接続されている。
【００９６】
また、この空気調和機１ｆでは、加湿部給水路開閉弁Ｖ４が設けられている。加湿部給水路開閉弁Ｖ４は、加湿部給水路７４ｆのうち、熱交換器用給水路７２ｆとの接続部分よりも下流側に設けられている。
【００９７】
他の構成については、第１実施形態に係る空気調和機１ａや第２実施形態に係る空気調和機１ｂと同様である。
【００９８】
〔特徴〕
この空気調和機１ｆでは、加湿部給水路７４ｆを通る水の一部または全部が熱交換器用給水路７２ｆを通って放水部６へ送られる。熱交換器用給水路開閉弁Ｖ２と加湿部給水路開閉弁Ｖ４との両方が開状態とされている場合には、貯水タンク８１に貯えられた水が加湿部５と放水部６との両方に送られる。熱交換器用給水路開閉弁Ｖ２が開状態とされ、且つ、加湿部給水路開閉弁Ｖ４が閉状態とされた場合には、放水部６にのみ水が送られる。また、熱交換器用給水路開閉弁Ｖ２が閉状態とされ、且つ、加湿部給水路開閉弁Ｖ４が開状態とされた場合には、加湿部５にのみ水が送られる。
【００９９】
この空気調和機１ｆにおいても、第１実施形態に係る空気調和機１ａおよび第２実施形態に係る空気調和機１ｂと同様に、加湿用の水や給排水のための設備の一部を用いることにより、簡易な構成を追加するだけで、室内熱交換器４の洗浄が可能となっている。このため、空気調和機１ｆの大型化およびコストの増大が抑えられている。
【０１００】
また、貯水タンク８１に貯えられた水が放水部６に送られるため、第２実施形態に係る空気調和機１ｂと同様に、加熱部８２によって加熱された水を放水部６に送ることができ、室内熱交換器４の洗浄能力が向上している。
【０１０１】
さらに、この空気調和機１ｆでは、加湿部５へ送られる水の流れと、放水部６に送られる水の流れとが、循環ポンプＰ１によって生成される。従って、この空気調和機１ｆでは、１つの循環ポンプＰ１によって、放水部６に送られる水の流れと加湿部５に送られる水の流れとの両方を生成することができる。このため、ポンプの数の増加が抑えられており、空気調和機１ｆの大型化およびコストの増大がさらに抑えられている。
【０１０２】
また、この空気調和機１ｆの変形例として、以下の形態の空気調和機が利用可能である。
【０１０３】
〔変形例４〕
図７に示す空気調和機１ｇでは、給排水設備７ｇの加湿用給排水路７１ｇに循環水路が設けられておらず、加湿部給水路７４ｇの一端が貯水タンク８１の底部に接続され、他端が加湿部５の下部に接続されている。排水路７６ｇは、加湿部給水路７４ｇの中間部分に接続されている。加湿部給水路開閉弁Ｖ４は設けられていない。また、循環ポンプＰ１は設けられておらず、貯水タンク８１に貯えられた水の水圧により加湿部５に水が供給される。
【０１０４】
熱交換器用給水路７２ｇ、タンク給水路７３ｇは、上記の空気調和機１ｆの熱交換器用給水路７２ｆ、タンク給水路７３ｆと同様である。また、他の構成についても、上記の空気調和機１ｆと同様である。
【０１０５】
＜第４実施形態＞
本発明の第４実施形態に係る空気調和機１ｈを図８に示す。この空気調和機１ｈが備える給排水設備７ｈは、加湿用給排水路７１ｈと、熱交換器用給水路７２ｈと、貯水タンク８１と、循環ポンプＰ１と、水路開閉弁Ｖ１−Ｖ３，Ｖ５とを有している。
【０１０６】
加湿用給排水路７１ｈは、水源に接続される給水口８３と、水を外部に排水するための排水口８４とを有し、給水口８３から加湿部５を通り排水口８４まで水を送るための水路である。加湿用給排水路７１ｈは、タンク給水路７３ｈと、加湿部給水路７４ｈと、循環水路７５ｈと、排水路７６ｈとを有する。タンク給水路７３ｈは、給水口８３から貯水タンク８１へ水を送るための水路である。加湿部給水路７４ｈは、貯水タンク８１から加湿部５へ水を送るための水路であり、その一端は貯水タンク８１に接続され、他端は加湿部５の下部に接続されている。循環水路７５ｈは、加湿部５において加湿に用いられずに残った水を貯水タンク８１に戻すための水路であり、一端が加湿部５の上部に接続されており、他端が貯水タンク８１に接続されている。排水路７６ｈは、貯水タンク８１に接続されており、貯水タンク８１に貯えられた水を排水口８４に送って外部に排出するための水路である。
【０１０７】
熱交換器用給水路７２ｈは、加湿用給排水路７１ｈから分岐し、放水部６まで水を送るための水路である。熱交換器用給水路７２ｈの一端は、循環水路７５ｈに接続されており、熱交換器用給水路７２ｈは、加湿用給排水路７１ｈのうち加湿部５の下流側において加湿用給排水路７１ｈから分岐している。より具体的には、熱交換器用給水路７２ｈの一端は、循環水路７５ｈのうち循環水路開閉弁Ｖ５（後述）の上流側に接続されている。なお、熱交換器用給水路７２ｈの他端は、放水部６に接続されている。
【０１０８】
また、この空気調和機１ｈでは、循環水路開閉弁Ｖ５が設けられている。循環水路開閉弁Ｖ５は、循環水路７５ｈに設けられている。
【０１０９】
他の構成については、第１実施形態に係る空気調和機１ａや第２実施形態に係る空気調和機１ｂと同様である。
【０１１０】
〔特徴〕
この空気調和機１ｈでは、循環水路７５ｈを通る水の一部または全部が熱交換器用給水路７２ｈを通って放水部６へ送られる。熱交換器用給水路開閉弁Ｖ２と循環水路開閉弁Ｖ５との両方が開状態とされている場合には、加湿部５を通った水が放水部６と貯水タンク８１との両方に送られる。熱交換器用給水路開閉弁Ｖ２が開状態とされ且つ循環水路開閉弁Ｖ５が閉状態とされた場合には、放水部６にのみ水が送られる。また、熱交換器用給水路開閉弁Ｖ２が閉状態とされ且つ循環水路開閉弁Ｖ５が開状態とされた場合には、貯水タンク８１にのみ水が送られる。
【０１１１】
この空気調和機１ｈにおいても、第１実施形態に係る空気調和機１ａおよび第２実施形態に係る空気調和機１ｂと同様に、加湿用の水や給排水用の設備の一部を用いることにより、簡易な構成を追加するだけで、室内熱交換器４の洗浄が可能となっている。このため、空気調和機１ｈの大型化およびコストの増大が抑えられている。
【０１１２】
また、加湿部５において気化せずに残った水を室内熱交換器４の洗浄に用いることができるため、水を無駄なく使うことができる。
【０１１３】
また、第２実施形態に係る空気調和機１ｂと同様に、加熱部８２によって加熱された水を放水部６に送ることができ、室内熱交換器４の洗浄能力が向上している。
【０１１４】
さらに、この空気調和機１ｈでは、加湿部５へ送られる水の流れと、放水部６に送られる水の流れとが、循環ポンプＰ１によって生成される。このため、この空気調和機１ｈでは、ポンプの数の増加が抑えられており、空気調和機１ｈの大型化およびコストの増大がより抑えられている。
【０１１５】
また、この空気調和機１ｈの変形例として、以下の形態が用いられてもよい。
【０１１６】
〔変形例５〕
図９に示す空気調和機１ｉでは、給排水設備７ｉの加湿用給排水路７１ｉに、循環水路が設けられておらず、熱交換器用給水路７２ｉは、加湿部５の上部に接続されている。また、加湿部給水路７４ｉの一端が貯水タンク８１の底部に接続され、他端が加湿部５の下部に接続されている。このため、貯水タンク８１から加湿部給水路ｉを通って加湿部５に送られた水は、加湿部５を通った後に熱交換器用給水路７２ｉを通り放水部６に送られる。なお、排水路７６ｉは、加湿部給水路７４ｉの中間部分に接続されている。循環水路開閉弁Ｖ５は設けられていない。また、循環ポンプＰ１は設けられておらず、貯水タンク８１に貯えられた水の水圧により加湿部５および放水部６に水が供給される。
【０１１７】
タンク給水路７３ｉは、上記の空気調和機１ｈのタンク給水路７３ｈと同様である。また、他の構成についても、上記の空気調和機１ｈと同様である。
【０１１８】
〔変形例６〕
図１０に示す空気調和機１ｊでは、給排水設備７ｊの加湿用給排水路７１ｊに循環水路が設けられておらず、熱交換器用給水路７２ｊは、加湿部５の下部に接続されている。なお、加湿部５は、複数に分割されており、熱交換器用給水路７２ｊは、加湿部５の各分割部分に対応して分岐している。また、加湿部給水路７４ｊの一端は、貯水タンク８１の底部に接続されている。加湿部給水路７４ｊの他端側は、加湿部５の各分割部分に対応して複数に分岐しており、加湿部給水路７４ｊの各分岐水路は加湿部５の上部に接続されている。このため、貯水タンク８１から加湿部給水路７４ｊを通って加湿部５に送られた水は、加湿部５を通った後に熱交換器用給水路７２ｊを通り放水部６に送られる。排水路７６ｊは、熱交換器用給水路７２ｊに接続される水路と、加湿部用ドレンパン２６に接続される水路と、熱交換器用ドレンパン２３に接続される水路とに分岐しており、熱交換器用給水路７２ｊに接続される水路には排水路開閉弁Ｖ３が設けられている。この空気調和機１ｊでは、循環ポンプＰ１は設けられておらず、貯水タンク８１に貯えられた水の水圧により加湿部５および放水部６に水が供給される。
【０１１９】
なお、この空気調和機１ｊでは、熱交換器用水路開閉弁Ｖ２が設けられていないが、排水路開閉弁Ｖ３を省略して熱交換器用水路開閉弁Ｖ２を設けてもよい。
【０１２０】
他の構成については、上記の空気調和機１ｈと同様である
＜他の実施形態＞
（ａ）
上記の実施形態において、図１１に示すように、放水部６に、水の流速を増大させるノズル９１が設けられてもよい。
【０１２１】
この場合、水が勢いよく室内熱交換器４に当たることによって、室内熱交換器４の汚れをよく落とすことができる。これにより、室内熱交換器４の洗浄能力を向上させることができる。
【０１２２】
（ｂ）
上記の実施形態において、図１１に示すように、室内熱交換器４に放水される水に超音波振動を加える超音波振動子９２が備えられてもよい。ここで、超音波振動子９２は、放水部６に設けられているが、他の部分に設けられてもよい。また、超音波振動子としては、１〜３ＭＨｚの超音波振動を発信可能なものが望ましい。
【０１２３】
この場合、室内熱交換器４に向けて放出される水に超音波が印可されるため、室内熱交換器４の汚れをよく落とすことができる。これにより、室内熱交換器４の洗浄能力を向上させることができる。
【０１２４】
（ｃ）
上記の実施形態において、図１２に示すように、室内熱交換器４に放水される水に気泡を付与する気泡発生部９３が備えられてもよい。気泡発生部９３としては、様々な装置が利用可能であり、例えば、高圧のもとで水を空間内に吐出させることで気泡を発生するものが利用可能である。なお、気泡発生部９３としては、５０μｍ以下の細かな気泡を生成可能なものが望ましい。
【０１２５】
この場合、室内熱交換器４に向けて放出される水に気泡が含まれるため、室内熱交換器４の汚れをよく落とすことができる。これにより、室内熱交換器４の洗浄能力を向上させることができる。
【０１２６】
また、図１２では、気泡発生部９３は、放水部６に設けられているが、放水部６に限らず他の部分に設けられてもよい。例えば、第２実施形態、第３実施形態、第４実施形態に係る空気調和機において、貯水タンク８１に気泡発生部９３が設けられた場合も、気泡を含んだ水を放水部６から放出することができる。また、この場合、加湿部５にも気泡を含んだ水が送られるため、加湿部５の洗浄を行うこともできる。
【０１２７】
（ｄ）
上記の実施形態において、図１３に示すように、室内熱交換器４に放水される水を電気分解して電解水を生成する電解水生成部９４が備えられてもよい。この電解水生成部９４は、水を電気分解する一対の電極を有している。電極は、ベースがＴｉ（チタン）であり、皮膜層がＩｒ（イリジウム）、Ｔａ（タンタル）、Ｐｔ（白金）から構成されており、この電極間に約４０ミリアンペアの電流が印可される。これにより、水道水中の塩素を利用して、除菌作用に優れたＨＣｌＯ（次亜塩素酸）を含む電解水を生成することができる。なお、電極の耐久性を考慮すると、電極への通電・非通電が所定時間ごとに繰り返されることが望ましく、また、所定の周期で電極の極性が切り替えられることが望ましい。
【０１２８】
この場合、除菌作用に優れた電解水を放水部６から放出することによって、室内熱交換器４の除菌を行うことができる。
【０１２９】
なお、図１３では、第２実施形態に係る空気調和機１ｂに電解水生成部９４が備えられているが、他の形態の空気調和機に備えられてもよい。特に、第２実施形態、第３実施形態、第４実施形態に係る空気調和機において、貯水タンク８１に電解水生成部９４が設けられることによって、電解水を容易に放水部６に供給することができる。また、第２実施形態、第３実施形態、第４実施形態に係る空気調和機のうち循環水路を有する空気調和機の貯水タンク８１に電解水生成部９４が設けられ、且つ、透湿膜方式の加湿機能を有する加湿部５が用いられることによって、室内熱交換器４の洗浄能力をさらに向上させることができる。すなわち、透湿膜方式の加湿部５では水蒸気のみが水から分離されるため、残った水に含まれるイオン成分の濃度が高くなっている。このような水を電気分解することによって、より洗浄能力の高い電解水を生成することができる。
【０１３０】
なお、電解水生成部９４は、上記のような電極を利用するものに限られず、洗浄能力を向上させる電解水を生成可能なものであればよい。
【０１３１】
（ｅ）
上記の実施形態において、図１４に示すように、室内熱交換器４に放水される水にオゾンを生成させるオゾン生成部９５が備えられてもよい。このオゾン生成部９５は、絶縁板と、絶縁板を挟んで設けられる放電電極および誘電電極を有しており、放電電極と誘電電極との間に交流高電圧を印可することによって放電を発生させる。そして、オゾン生成部９５は、放電部分に空気を送ることによって、空気中の酸素の一部をオゾンに変化させる。
【０１３２】
この場合、オゾンを含む水を放水部６から放出することによって、室内熱交換器４の除菌を行うことができる。
【０１３３】
なお、図１４では、第２実施形態に係る空気調和機１ｂにオゾン生成部９５が備えられているが、他の形態の空気調和機に備えられてもよい。特に、第２実施形態、第３実施形態、第４実施形態に係る空気調和機において、貯水タンク８１にオゾン生成部９５が設けられることによって、オゾン水を容易に放水部６に供給することができる。また、上記の電解水生成部９４と同様に、第２実施形態、第３実施形態、第４実施形態に係る空気調和機のうち循環水路を有する空気調和機の貯水タンク８１にオゾン生成部９５が設けられ、且つ、透湿膜方式の加湿機能を有する加湿部５が用いられることによって、室内熱交換器４の洗浄能力をさらに向上させることができる。また、オゾン生成部９５が上記の気泡発生部９３と共に設けられることによって、気泡発生部９３において気泡の生成のために用いられる空気を、オゾン生成部９５におけるオゾンの発生に用いることができる。
【０１３４】
なお、オゾン生成部９５としては、上記のような電極を利用するものに限られない。例えば、紫外線ランプから照射される紫外線のエネルギーによってオゾンを生じさせる装置が利用されてもよい。この場合、紫外線を直接、水に照射することによって、水中に含まれる酸素がオゾンに変わり、低濃度のオゾン水を生成することができる。
【０１３５】
（ｆ）
上記の実施形態において、図１５に示すように、放水部６を移動させる移動機構９６が備えられてもよい。移動機構９６としては、例えば、放水部６を案内するレールと、放水部６を駆動するモータとを有し、放水部６を室内熱交換器４の上部に沿って水平に移動させる機構が利用可能である。
【０１３６】
この場合、室内熱交換器４を水平方向の広範囲に亘って洗浄することができる。また、室内熱交換器４の上部に放水された水は、室内熱交換器４に沿って下方に流れ、室内熱交換器４を上下方向の広範囲に亘って洗浄することができる。これにより、室内熱交換器４のより広い範囲を洗浄することができる。また、上記の実施形態では、左右に分かれて２つの放水部６が設けられているが、放水部６が移動可能となることにより、放水部６を１つだけ設けてもよい。また、２つの放水部６が共に移動することによって、高水量での洗浄が可能である。
【０１３７】
なお、放水部６を室内熱交換器４の側面に沿って上下に移動させる機構が利用されてもよい。
【０１３８】
また、図１５では、第１実施形態に係る空気調和機１ａに移動機構９６が設けられているが、他の形態の空気調和機に設けられてもよい。
【０１３９】
（ｇ）
上記の実施形態において、放水部６に、複数の水の吹き出し口が形成されてもよい。例えば、放水部６に水平方向に並んで複数の吹き出し口が形成されるとよい。この場合、室内熱交換器４を水平方向の広範囲に亘って洗浄することができる。また、放水部６を移動機構９６によって移動させる場合と比べて、可動部品が少なくなるため、故障発生の恐れを低減することができる。
【０１４０】
なお、鉛直方向に沿って放水部６が設けられ、放水部６に鉛直方向に並んで複数の吹き出し口が形成されてもよい。この場合、室内熱交換器４を鉛直方向の広範囲に亘って洗浄することができる。
【０１４１】
また、放水部６が、それぞれ吹き出し口を有する複数のヘッド部を有し、各ヘッド部が室内熱交換器４に沿って離れて配置されてもよい。この場合も、上記と同様に、室内熱交換器４を広範囲に亘って洗浄することができる。
【０１４２】
（ｈ）
上記の実施形態では、放水部６は室内熱交換器４の上方に配置されているが、放水部６が室内熱交換器４の側方に設けられてもよい。この場合、室内熱交換器４の側面を効果的に洗浄することができる。
【０１４３】
また、この場合、上述したノズルが放水部６に設けられることが望ましい。これにより、室内熱交換器４の奥部まで十分に洗浄することができる。さらに、上述した移動機構９６が設けられ、放水部６を室内熱交換器４の側面に沿って上下方向や水平方向に移動させることにより、室内熱交換器４のより広範囲を洗浄することができる。
【０１４４】
（ｉ）
上記の実施形態では、主に透湿膜方式の加湿部５が利用されているが、他の加湿方式のものが利用されてもよい。例えば、上記の実施形態に係る空気調和機のうち、第２実施形態の変形例１に係る空気調和機１ｃ（図３参照）、第３実施形態の変形例４に係る空気調和機１ｇ（図７参照）については、毛管式の加湿部５が利用できる。毛管式とは、加湿部給水路から供給される水を加湿用部材で吸い上げ、加湿用部材に風を当てることによって空気の加湿を行う方式である。また、上記の実施形態に係る空気調和機のうち第２実施形態の変形例２に係る空気調和機１ｄ（図４参照）については、滴下式の加湿部５が利用できる。滴下式とは、加湿用部材の上部に水を供給し、加湿用部材に風を当てることによって空気の加湿を行う方式である。毛管式、滴下式のいずれにおいても、加湿用部材としては、吸水性、通風性が高く且つ表面積の大きな多孔性部材が用いられる。例えば、親水性材料から形成された不織布などの繊維系部材や、スポンジなどの発泡性部材が挙げられる。
【０１４５】
（ｊ）
上記の実施形態では、天井埋込型の空気調和機に対して本発明が適用されているが、壁掛け型や床置き型などの他の形態の空気調和機に対しても本発明が適用可能である。
【０１４６】
（ｋ）
上記の実施形態では、水源として水道が用いられているが、給湯器など加湿に適した水質を確保できるものであれば他のものも利用可能である。
【産業上の利用可能性】
【０１４７】
本発明は、熱交換器の洗浄機構を備えながらも大型化を抑えることができる効果を有し、空気調和機として有用である。
【図面の簡単な説明】
【０１４８】
【図１】第１実施形態に係る空気調和機の構成を示す図。
【図２】第２実施形態に係る空気調和機の構成を示す図。
【図３】第２実施形態に係る空気調和機の変形例の構成を示す図。
【図４】第２実施形態に係る空気調和機の変形例の構成を示す図。
【図５】第２実施形態に係る空気調和機の変形例の構成を示す図。
【図６】第３実施形態に係る空気調和機の変形例の構成を示す図。
【図７】第３実施形態に係る空気調和機の変形例の構成を示す図。
【図８】第４実施形態に係る空気調和機の変形例の構成を示す図。
【図９】第４実施形態に係る空気調和機の変形例の構成を示す図。
【図１０】他の実施形態に係る空気調和機の構成を示す図。
【図１１】他の実施形態に係る空気調和機の構成を示す図。
【図１２】他の実施形態に係る空気調和機の構成を示す図。
【図１３】他の実施形態に係る空気調和機の構成を示す図。
【図１４】他の実施形態に係る空気調和機の構成を示す図。
【図１５】他の実施形態に係る空気調和機の構成を示す図。
【符号の説明】
【０１４９】
１ａ−１ｊ              空気調和機
４                      室内熱交換器（熱交換器）
５                      加湿部
６                      放水部
７１ａ−７１ｊ          加湿用給排水路
７２ａ−７２ｊ          熱交換器用給水路
７５ｂ，７５ｅ，７５ｆ  循環水路
８１                    貯水タンク
８２                    加熱部
８３                    給水口
８４                    排水口
９１                    ノズル
９２                    超音波振動子
９３                    気泡発生部
９４                    電解水生成部
９５                    オゾン生成部
９６                    移動機構
【図１】
2008215707.tif 000003
【図２】
2008215707.tif 000004
【図３】
2008215707.tif 000005
【図４】
2008215707.tif 000006
【図５】
2008215707.tif 000007
【図６】
2008215707.tif 000008
【図７】
2008215707.tif 000009
【図８】
2008215707.tif 000010
【図９】
2008215707.tif 000011
【図１０】
2008215707.tif 000012
【図１１】
2008215707.tif 000013
【図１２】
2008215707.tif 000014
【図１３】
2008215707.tif 000015
【図１４】
2008215707.tif 000016
【図１５】
2008215707.tif 000017